(57)【要約】  皮膚及び下皮をマッサージして当該マッサージされる皮膚を熱によってトリートメントする装置である。本装置は、間に少なくとも一つの共通壁を共有する少なくとも２つの隣接真空チャンバとエネルギー送達表面とを有するハウジングを含む。皮膚表面に平行な皮膚組織の前後マッサージ動を有効とするべく、負圧源が真空チャンバと連通してチャンバ間で当該負圧を交替させる。エネルギー送達表面がチャンバにおいて皮膚を加熱する。
2013502264.tif 000002
【特許請求の範囲】
【請求項１】
皮膚及び下皮のトリートメントの方法であって、
間に少なくとも一つの共通壁を共有する少なくとも２つの隣接真空チャンバを収容する一つのハウジングを与えることと、
前記チャンバを皮膚表面に結合することと、
前記皮膚表面に平行な皮膚組織の前後マッサージ動を有効にするべく前記チャンバに空気圧を交替適用することと
を含む方法。
【請求項２】
前記空気圧は、前記真空チャンバに対する、大気圧より低い空気圧、正の空気圧、及び周囲空気圧からなる群から選択された少なくとも一つのタイプである、請求項１に記載の方法。
【請求項３】
前記チャンバの各々個別において、前記少なくとも一つのタイプの空気圧及びその適用シーケンスを制御することも含む、請求項２に記載の方法。
【請求項４】
光、ＲＦ、超音波、電気脂肪泳動、イオン泳動、及びマイクロ波からなる群の少なくとも一つの形態で加熱エネルギーを適用することも含む、請求項１に記載の方法。
【請求項５】
前記前後マッサージ動と同時に前記皮膚に前記加熱エネルギーを適用することも含む、請求項４に記載の方法。
【請求項６】
前記チャンバの少なくとも一つの内側に前記加熱エネルギーを適用することも含む、請求項４に記載の方法。
【請求項７】
前記チャンバの任意の一つに異なる形態の前記加熱エネルギーを同時に適用することも含む、請求項４に記載の方法。
【請求項８】
所定のトリートメントプロトコルに従って、少なくとも一つの真空チャンバにおける前記エネルギーの適用を制御することも含む、請求項４に記載の方法。
【請求項９】
前記皮膚表面に沿って前記ハウジングを変位させるべく、前記皮膚表面に平行な皮膚組織の交替非対称マッサージ動を適用することも含む、請求項１に記載の方法。
【請求項１０】
皮膚及び下皮のトリートメントの方法であって、
間に少なくとも一つの共通壁を共有する少なくとも２つの隣接真空チャンバを収容する一つのハウジングを与えることと、
前記チャンバを皮膚表面に結合することと、
前記皮膚表面に平行な皮膚組織の前後マッサージ動を有効にするべく前記チャンバに空気圧を交替適用することと、
前記前後マッサージ動と同時に前記チャンバの内側の前記皮膚に加熱エネルギーを適用することと
を含む方法。
【請求項１１】
前記真空チャンバに対する、大気圧より低い空気圧、正の空気圧、及び周囲空気圧からなる群から選択された少なくとも一つのタイプの空気圧を適用することをさらに含む、請求項１０に記載の方法。
【請求項１２】
前記チャンバの各々個別において、前記少なくとも一つのタイプの空気圧及びその適用シーケンスを制御することも含む、請求項１１に記載の方法。
【請求項１３】
前記加熱エネルギーは、光、ＲＦ、超音波、電気脂肪泳動、イオン泳動、及びマイクロ波からなる群の少なくとも一つの形態にある、請求項１０に記載の方法。
【請求項１４】
前記チャンバの任意の一つにおいて異なる形態の前記加熱エネルギーを同時に適用することも含む、請求項１３に記載の方法。
【請求項１５】
所定のトリートメントプロトコルに従って少なくとも一つの真空チャンバにおいて前記エネルギーの適用を制御することも含む、請求項１３に記載の方法。
【請求項１６】
前記皮膚表面に沿って前記ハウジングを変位させるべく、前記皮膚表面に平行な皮膚組織の交替非対称マッサージ動を適用することも含む、請求項１０に記載の方法。
【請求項１７】
皮膚及び下皮のトリートメントの方法であって、
間に少なくとも一つの共通壁を共有する少なくとも２つの隣接真空チャンバを収容する一つのハウジングを与えることと、
前記チャンバを皮膚表面に結合することと、
前記皮膚表面に平行な皮膚組織のマッサージ動を有効にするべく前記チャンバに空気圧を交替適用することと、
前記皮膚表面に沿った前記ハウジングの変位を有効にすることと
を含む方法。
【請求項１８】
前記真空チャンバに対する、大気圧より低い空気圧、正の空気圧、及び周囲空気圧からなる群から選択された少なくとも一つのタイプの空気圧を適用することも含む、請求項１７に記載の方法。
【請求項１９】
前記チャンバの各々個別において、前記少なくとも一つのタイプの空気圧及びその適用シーケンスを制御することも含む、請求項１８に記載の方法。
【請求項２０】
光、ＲＦ、超音波、電気脂肪泳動、イオン泳動、及びマイクロ波からなる群の少なくとも一つの形態で加熱エネルギーを前記皮膚に適用することも含む、請求項１７に記載の方法。
【請求項２１】
前後マッサージ動と同時に前記皮膚に前記加熱エネルギーを適用することも含む、請求項２０に記載の方法。
【請求項２２】
前記チャンバの少なくとも一つの内側に前記加熱エネルギーを適用することも含む、請求項２０に記載の方法。
【請求項２３】
前記チャンバの任意の一つに異なる形態の前記加熱エネルギーを同時に適用することも含む、請求項２０に記載の方法。
【請求項２４】
所定のトリートメントプロトコルに従って、少なくとも一つの真空チャンバにおける前記エネルギーの適用を制御することも含む、請求項２０に記載の方法。
【請求項２５】
皮下脂肪細胞分解、皮下脂肪量低減、弛んだ皮膚の引き締め、身体表面の引き締め及び固定、皮膚のしわ低減、及びコラーゲンリモデリングからなる群から選択される少なくとも一つの美容皮膚組織トリートメントのために前記方法を用いることも含む、請求項１から２４に記載の方法。
【請求項２６】
皮膚及び下皮のトリートメントの装置であって、
間に少なくとも一つの共通壁を共有する少なくとも２つの隣接真空チャンバを収容する一つのハウジングと、
前記真空チャンバと連通する空気圧源と、前記チャンバに交替空気圧を適用して前記皮膚の表面に平行な皮膚組織の前後マッサージ動を有効とするべく前記空気圧源を制御する動作が可能な機械コントロールと
を含む装置。
【請求項２７】
前記空気圧は、大気圧より低い空気圧、正の空気圧、及び周囲空気圧からなる群から選択された少なくとも一つのタイプの空気圧である、請求項２６に記載の装置。
【請求項２８】
前記機械コントロールは、前記チャンバの各々個別において、前記少なくとも一つのタイプの空気圧及びその適用シーケンスを制御する動作が可能である、請求項２７に記載の装置。
【請求項２９】
光、ＲＦ、超音波、電気脂肪泳動、イオン泳動、及びマイクロ波からなる群の少なくとも一つの形態で加熱エネルギーを生成する動作が可能な加熱エネルギー源をさらに含む、請求項２６に記載の装置。
【請求項３０】
前記チャンバは、前記加熱エネルギー源に電気的に接続されたエネルギー送達表面をさらに含む、請求項２９に記載の装置。
【請求項３１】
前記コントローラはまた、所定のトリートメントプロトコルに従って、少なくとも一つの真空チャンバにおける前記送達表面に前記生成されたエネルギーの送達を制御する動作が可能である、請求項３０に記載の装置。
【請求項３２】
前記加熱エネルギー源は、皮膚の前記前後マッサージ動と同時に前記送達表面に前記加熱エネルギーを生成する動作が可能である、請求項３０に記載の装置。
【請求項３３】
前記加熱エネルギー送達表面の少なくとも一つは前記チャンバの少なくとも一つの内側に配置される、請求項３０に記載の装置。
【請求項３４】
前記加熱エネルギー送達表面の少なくとも一つは前記チャンバの少なくとも一つの外側に配置される、請求項３０に記載の装置。
【請求項３５】
前記機械コントロールは、前記チャンバの任意の一つにおいて個別に前記異なる形態の加熱エネルギーの送達を制御する動作が可能である、請求項２９に記載の装置。
【請求項３６】
前記機械コントロールはまた前記皮膚表面に沿って前記ハウジングを変位させるべく、前記皮膚の表面に平行な皮膚組織の交替非対称マッサージ動を有効にするように前記空気圧源を制御する動作が可能である、請求項２６に記載の装置。
【請求項３７】
皮膚及び下皮のトリートメントの装置であって、
間に少なくとも一つの共通壁を共有する少なくとも２つの隣接真空チャンバを収容し、かつ、少なくとも一つのエネルギー送達表面を含むハウジングと、
前記真空チャンバと連通する空気圧源と、
前記チャンバに交替空気圧を適用して前記皮膚の表面に平行な皮膚組織の前後マッサージ動を有効とするべく前記空気圧源を制御する動作が可能な機械コントロールと、
加熱エネルギーを生成し、かつ、前記送達表面と連通する動作が可能な加熱エネルギー源と
を含む装置。
【請求項３８】
前記エネルギー送達表面の少なくとも一つは前記チャンバの少なくとも一つの内側に配置される、請求項３７に記載の装置。
【請求項３９】
前記加熱エネルギー送達表面の少なくとも一つは前記チャンバの少なくとも一つの外側に配置される、請求項３７に記載の装置。
【請求項４０】
前記空気圧は、大気圧より低い空気圧、正の空気圧、及び周囲空気圧からなる群から選択された少なくとも一つのタイプの空気圧である、請求項３７に記載の装置。
【請求項４１】
前記機械コントロールは、前記チャンバの各々個別において、前記少なくとも一つのタイプの空気圧及びその適用シーケンスを制御する動作が可能である、請求項４０に記載の装置。
【請求項４２】
前記加熱エネルギーは、光、ＲＦ、超音波、電気脂肪泳動、イオン泳動、及びマイクロ波からなる群の少なくとも一つの形態にある、請求項３７に記載の装置。
【請求項４３】
前記加熱エネルギー源は、前記前後マッサージ動と同時に前記皮膚に前記加熱エネルギーを適用する動作が可能である、請求項３７に記載の装置。
【請求項４４】
前記機械コントロールはまた、前記チャンバの任意の一つにおいて異なる形態の前記加熱エネルギーの同時適用を制御する動作が可能である、請求項４２に記載の装置。
【請求項４５】
前記機械コントロールはまた、前記皮膚の表面に沿って前記ハウジングの変位を有効にするべく前記チャンバの各々において、前記少なくとも一つのタイプの空気圧及びその適用シーケンスを制御する動作が可能である、請求項３７に記載の装置。
【請求項４６】
皮膚及び下皮のトリートメントの装置であって、
間に少なくとも一つの共通壁を共有する少なくとも２つの隣接真空チャンバを収容するハウジングと、
前記真空チャンバと連通する、大気圧より低い空気圧、正の空気圧、及び周囲空気圧からなる群から選択された少なくとも一つのタイプの空気圧源と、
前記チャンバに交替空気圧を適用して前記皮膚の表面に平行な皮膚組織の前後マッサージ動を有効とするべく前記空気圧源を制御する動作、及び、前記皮膚の表面に沿って前記ハウジングの変位を有効にするべく前記チャンバの各々において、前記タイプの空気圧の適用シーケンスを制御する動作が可能な機械コントロールと
を含む装置。
【請求項４７】
前記機械コントロールは、前記チャンバの各々個別において、前記少なくとも一つのタイプの空気圧及びその適用シーケンスを制御する動作が可能である、請求項４６に記載の装置。
【請求項４８】
光、ＲＦ、超音波、電気脂肪泳動、イオン泳動、及びマイクロ波からなる群の少なくとも一つの形態で加熱エネルギーを生成する動作が可能な加熱エネルギー源をさらに含む、請求項４６に記載の装置。
【請求項４９】
前記加熱エネルギー源は、前記前後マッサージ動と同時に前記皮膚に前記加熱エネルギーを適用する動作が可能である、請求項４８に記載の装置。
【請求項５０】
前記チャンバは、前記加熱エネルギー源に電気的に接続されたエネルギー送達表面をさらに含む、請求項４８に記載の装置。
【請求項５１】
前記エネルギー送達表面の少なくとも一つは前記チャンバの少なくとも一つの内側に配置される、請求項５０に記載の装置。
【請求項５２】
前記加熱エネルギー送達表面の少なくとも一つは前記チャンバの少なくとも一つの外側に配置される、請求項５０に記載の装置。
【請求項５３】
前記機械コントロールは、前記チャンバの任意の一つにおいて個別に前記異なる形態の前記加熱エネルギーを制御する動作が可能である、請求項４８に記載の装置。
【請求項５４】
前記機械コントロールはまた、前記チャンバの任意の一つにおいて異なる形態の前記加熱エネルギーを同時適用する動作が可能である、請求項４８に記載の装置。
【請求項５５】
前記機械コントロールはまた前記皮膚表面に沿って前記ハウジングを変位させるべく、前記皮膚の表面に平行な皮膚組織の非対称マッサージ動を有効にするように前記空気圧源を制御する動作が可能である、請求項４６に記載の装置。
【請求項５６】
皮膚及び下皮のトリートメントの自己変位装置であって、
間に少なくとも一つの共通壁を共有する少なくとも２つの隣接真空チャンバを収容する一つのハウジングと、
前記真空チャンバと連通する空気圧源と、
前記皮膚の表面に沿って前記ハウジングを変位させるべく、前記チャンバに交替空気圧を適用して前記皮膚の表面に平行な皮膚組織の非対称マッサージ動を有効とするように前記空気圧源を制御する動作が可能な機械コントロールと
を含む装置。
【請求項５７】
前記空気圧は、大気圧より低い空気圧、正の空気圧、及び周囲空気圧からなる群から選択された少なくとも一つのタイプの空気圧である、請求項５６に記載の装置。
【請求項５８】
前記機械コントロールは、前記チャンバの各々個別において、前記少なくとも一つのタイプの空気圧及びその適用シーケンスを制御する動作が可能である、請求項５７に記載の装置。
【請求項５９】
光、ＲＦ、超音波、電気脂肪泳動、イオン泳動、及びマイクロ波からなる群の少なくとも一つの形態で加熱エネルギーを生成する動作が可能な加熱エネルギー源をさらに含む、請求項５６に記載の装置。
【請求項６０】
前記加熱エネルギー源は、前後マッサージ動と同時に前記皮膚に前記加熱エネルギーを適用する動作が可能である、請求項５９に記載の装置。
【請求項６１】
前記チャンバは、前記加熱エネルギー源に電気的に接続されたエネルギー送達表面をさらに含む、請求項５９に記載の装置。
【請求項６２】
前記エネルギー送達表面の少なくとも一つは前記チャンバの少なくとも一つの内側に配置される、請求項６１に記載の装置。
【請求項６３】
前記加熱エネルギー送達表面の少なくとも一つは前記チャンバの少なくとも一つの外側に配置される、請求項６１に記載の装置。
【請求項６４】
前記機械コントロールは、前記チャンバの任意の一つにおいて個別に前記異なる形態の前記加熱エネルギーを制御する動作が可能である、請求項５９に記載の装置。
【発明の詳細な説明】
【技術分野】
【０００１】
本方法及び装置は、エステティックボディシェイピングデバイスの分野に関し、詳しくは人の皮膚及び下皮のエステティックマッサージトリートメントの方法及び装置に関する。
【背景技術】
【０００２】
セルライトはすべての人種の思春期後の女性約８５−９０％及び多少の男性に影響を与え、不愉快なくぼみのある皮膚外観を特徴とする。これは主に、腕、股関節部、大腿部、及び臀部のまわりに生じる。
【０００３】
皮下脂肪層内のコラーゲン線維壁（中隔と称する）が皮下脂肪組織を皮膚に接続する。セルライトは、皮下脂肪細胞が上方に押され、かつ、下方に押された中隔がこれに付着する皮膚を引っぱるときに生じる。その結果、中隔は間に沈着した脂肪細胞を、皮膚表面から突出する小さな隆起内に押し込み、特徴的なくぼみのある凹んだ皮膚表面が生じる。
【０００４】
セルライトのトリートメントには多くの治療法が用いられている。これらは、薬理学的作用剤のみならず物理的及び機械的方法も含む。物理的及び機械的方法は、イオン泳動、光、超音波、熱療法、圧力療法（循環方向の空気圧マッサージ）、リンパ排液（リンパの流れを刺激するマッサージ手法）、電気脂肪泳動（低周波電流の適用）、及び例えばＲＦのような高周波電流を含む。
【０００５】
大気圧より低い圧力（真空）を皮膚のセグメントに適用して熱エネルギーの適用あり又はなしで当該セグメントをチャンバ内に押し込むことと皮膚マッサージとを組み合わせるセルライトのエステティックトリートメントが、業界で十分に文書化されている。
【０００６】
業界で記載されるほぼすべてのマッサージ要素は、例えばローラ又は旋回デバイダのような可動部分の機械的変位に基づく。ほとんどの場合、この機械的動作は例えばモータのようなアクチュエータによって駆動される。真空が機械的要素の操作に使用される場合はほとんどない。
【０００７】
かかるアプリケータにおいて可動の機械的要素及びアクチュエータを使用することは複雑性、必要なメンテナンス、及びコストを増大させる。可動の機械的要素はまた、かかるアプリケータに典型的に用いられる様々なタイプの加熱エネルギー送達表面と干渉する。
【０００８】
当該機械的要素を変形可能膜（当該膜の内側表面が真空チャンバをシーリングし、かつ、外側表面が皮膚に付着する）に置換することによりアプリケータを簡略化する努力が業界においてなされている。チャンバ内側に大気圧より低い圧力を生成することにより、当該膜及び皮膚の吸引効果が生じる。双方がチャンバの中に引き込まれる。
【０００９】
さらに、皮膚組織内のコラーゲン線維中隔ネットワークのＭＲイメージング３Ｄ再構築により、高いパーセンテージの中隔が、セルライトを有する女性の皮膚表面に対して垂直方向に配向することが実証されている。業界で記載されるマッサージ要素は、皮膚組織を一つの真空チャンバの内外に動かす。その結果、皮膚表面に対して垂直かつ線維中隔配向に対して平行な方向に皮膚組織が変位する。皮膚組織をその表面に平行かつコラーゲン線維中隔の配向に垂直に動作させることは、線維中隔を分解してセルライトの悪影響を低減するのに有効であることが示されている。
【００１０】
さらに、業界の方法は、加熱エネルギートリートメントと皮膚マッサージトリートメントとを結合する。これらの方法が用いる適用エネルギー源（例えば超音波）は典型的に、真空チャンバ又は変形可能膜に付着しないことに起因して同時にマッサージはされない皮膚面積全体に配置される。エネルギーを非マッサージ皮膚面積に適用することは、皮膚マッサージとエネルギー適用との同時組み合わせにより生じる相乗効果を無効にする。
【００１１】
皮膚の加熱と前後同時マッサージ動作との組み合わせが線維中隔ネットワークを分解して皮膚表面の凹んだ外観をなくす。熱と真空との組み合わせも、トリートメント面積における循環を向上させて代謝作用を増大させる。これは、皮下脂肪の量を低減して皮膚表面の凹んだ外観をなくすことにさらに寄与する。したがって、加熱エネルギーの適用あり又はなしで皮膚に前後マッサージの動きを与える改善されたセルライトトリートメントが必要とされている。この動きは、皮膚表面に平行かつ真皮コラーゲン線維中隔の配向に垂直に適用されて、改善されたトリートメント結果をもたらし、かつ、セルライトの望ましくない影響を良好になくす。
【先行技術文献】
【特許文献】
【００１２】
【特許文献１】米国特許第５，８９７，５１２号明細書
【特許文献２】米国特許出願公開第２００８／０１６７５８５（Ａ１）号明細書
【特許文献３】米国特許出願公開第２００７／０２５５３５５（Ａ１）号明細書
【特許文献４】米国特許出願公開第２００２／００８２６６８（Ａ１）号明細書
【特許文献５】米国特許出願公開第２００２／０００７８３６（Ａ１）号明細書
【特許文献６】米国特許出願公開第２００６／０２３５３３９（Ａ１）号明細書
【特許文献７】米国特許出願公開第２００７／０２０８２８１（Ａ１）号明細書
【発明の概要】
【００１３】
本方法及び装置は、セルライトの不愉快な影響を低減するべく人の皮膚組織に真空及びマッサージの効果を与える。本方法及び装置は、一以上の共通壁を共有する一以上の真空チャンバを収容するアプリケータを、皮膚表面に結合することに基づく。代替的には、皮膚に真空吸引の効果を与えるべく当該真空チャンバにおいて空気圧を低減させることに基づく。代替的には、隣接する皮膚セグメントを当該真空チャンバ内に引き込むことに基づく。
【００１４】
交替の吸引効果は、隣接する真空チャンバ間の共通壁に対する皮膚組織の前後動であって、皮膚表面に平行かつコラーゲン線維中隔配向に垂直な向上されたマッサージを作り出す。この作用は、機械的アクチュエータ及び／又は任意の可動部分を使用することなく、真空チャンバのみを使用して達成される。
【００１５】
本方法及び装置はまた、加熱エネルギーを真空及びマッサージの適用に結合する。かかる加熱エネルギーは、光、ＲＦ、超音波、電気脂肪泳動、イオン泳動、及びマイクロ波の群の一以上の形態であり得、加熱エネルギー送達表面によって送達される。加熱エネルギー送達表面は、真空チャンバ内側、当該真空チャンバ間、又はこれらの任意の組み合わせを含む一以上の場所に配置され得る。
【００１６】
本方法及び装置の実施例によれば、真空チャンバ壁又はそのセグメントは伝導材料から作られ、ＲＦ加熱エネルギーを送達する動作が可能である。代替的には、隣接する真空チャンバ間の唯一の共通壁が電気伝導性材料から作られ、全体でＲＦ電極として機能する。
【００１７】
本方法及び装置の他実施例によれば、一以上のＲＦ電極が隣接する真空チャンバの一以上の壁の内面に配置される。付加的な一以上のＲＦ電極が、その間にある共通壁の一面又は両面に配置される。代替的かつ付加的には、ＲＦ電極は、当該真空チャンバ内に引き込まれつつある隣接皮膚組織に加熱エネルギーを適用するべく、真空チャンバ壁の内面を超えて延びる。
【００１８】
ＲＦエネルギー送達は、唯一の真空チャンバ又は一を超える真空チャンバの中の機械コントローラにより同時に、所定のトリートメントプロトコルに従って交替態様で又は任意の他のシーケンスで制御される。
【００１９】
本方法及び装置のさらに他の実施例によれば、機械コントロールは、隣接する真空チャンバにおいて真空適用の交替シーケンス及び空気圧のタイプを制御する動作が可能である。これにより、当該皮膚表面に平行な、皮膚組織の非対称マッサージ動が有効となり、当該皮膚表面に沿ってアプリケータが変位される。
【００２０】
本方法及び装置の実施例はまた、例えば皮下脂肪細胞分解、皮下脂肪量低減、身体表面の引き締め及び固定、皮膚のしわ低減、並びにコラーゲンのリモデリングのような他のエステティック皮膚組織トリートメントにおいて用いることができる。
【００２１】
用語集
【００２２】
用語「皮膚組織」及び「皮膚」は、本開示において互換可能に使用され、表皮及び真皮、並びに知覚神経末端、血管、汗腺等のようなすべての表皮構造を含む皮膚表面層を意味する。
【００２３】
本開示で使用される用語「下皮」は、脂肪及びコラーゲン線維中隔のような組織を含む真皮下の皮膚層を意味する。
【００２４】
用語「真空」、「吸引」、及び「大気圧より低い空気圧」は、本開示において互換可能に使用され、周囲空気圧よりも小さい又は低い任意の空気圧を意味する。
【図面の簡単な説明】
【００２５】
本方法及び装置は、以下の図面とともに、下記の詳細な説明から理解かつ認識される。
【００２６】
【図１】本方法及び装置の一実施例に係る人の皮膚及び下皮のトリートメント用アプリケータの簡略的な断面図である。
【図２Ａ】図１の装置のエネルギー送達表面の様々な代替構成を簡略的に示す。
【図２Ｂ】図１の装置のエネルギー送達表面の様々な代替構成を簡略的に示す。
【図２Ｃ】図１の装置のエネルギー送達表面の様々な代替構成を簡略的に示す。
【図２Ｄ】図１の装置のエネルギー送達表面の様々な代替構成を簡略的に示す。
【図３Ａ】本方法及び装置の他実施例に係る、皮膚組織をマッサージする場合の図１のアプリケータの動作を簡略的に示す。
【図４Ａ】本方法及び装置のさらなる他実施例に係る、図１のアプリケータの、その変位を有効とする動作を簡略的に示す。
【図４Ｂ】本方法及び装置のさらなる他実施例に係る、図１のアプリケータの、その移動を有効とする動作を簡略的に示す。
【図４Ｃ】本方法及び装置のさらなる他実施例に係る、図１のアプリケータの、その移動を有効とする動作を簡略的に示す。
【図４Ｄ】本方法及び装置のさらなる他実施例に係る、図１のアプリケータの、その移動を有効とする動作を簡略的に示す。
【図５】３チャンバ配列に配列された図１の装置を簡略的に示す。
【図６】本方法及び装置のさらなる他実施例に係るローラをさらに含む図１の装置を簡略的に示す。
【図７】本方法及び装置のさらなる他実施例に係る隣接真空チャンバ間の可撓性デバイダをさらに含む図１の装置を簡略的に示す。
【発明を実施するための形態】
【００２７】
ここで図１を参照する。一以上の真空チャンバを収容するハウジング１０２を有するアプリケータ１００の断面図が示される。図１は、例えば２つの真空チャンバ１０４を示す。チャンバ１０４は、壁１０６及び１０８の内表面、閉部１１０、皮膚組織１１６の表面によって画定される。壁１０６のシーリング端１１４は、皮膚組織１１６の表面との接触面積を増大させて良好なシールを与えるべく広がっている。また、壁１０８のシーリング端１１４は、これに対して圧迫される皮膚組織１１６のマッサージを強めるべく高摩擦コーティングで被覆される。例えば、真空チャンバは、譲受人の米国特許出願第１２／５０３，８３４号明細書に開示されたタイプである。この開示は、本明細書に参照として組み込まれる。
【００２８】
大気圧より低い空気圧、正の空気圧、及び周囲空気圧からなる群から選択される一以上の空気圧タイプの一以上の源は、チャンバ１０４と連通する。例えば、図１に示す実施例では、大気圧より低い空気圧が、閉部１１０におけるコンジット１２２及びボア１２０を通してチャンバ１０４に適用される。これにより、チャンバ１０４内に真空が作られる。チャンバ１０４はまた、コンジット１２６を通してまわりの周囲空気にベントされる。代替的には、正の空気圧がコンジット１２６を通して又は他のコンジット（図示せず）を通して送達される。
【００２９】
チャンバ１０４における所望の空気圧源は、バルブ１２４を用いることにより選択される。バルブ１２４は、任意の標準一方向又は多方向バルブであって業界周知である。
【００３０】
真空チャンバ１０４内の真空値は、周囲圧力よりも５０００Ｐａから１００ｋＰａ（０．０５Ｂａｒから１Ｂａｒ）低い範囲内である。典型的には、真空値は周囲圧力よりも１０ｋＰａから５０ｋＰａ（０．１Ｂａｒから０．５Ｂａｒ）低い範囲内である。
【００３１】
電導体１２８により各セレクタバルブに接続された機械コントローラ（図示せず）は、多数の所定トリートメントプログラムプロトコルから、所望のタイプの空気圧及びこれの適用シーケンスを各真空チャンバ１０４に対して個別に選択する。例えば、２つの隣接真空チャンバ１０４の各々において大気圧より低い圧力の適用を交替させることで、トリートメントを受ける皮膚組織１１６の隣接面積に対する交替吸引力を作り出すことができる。皮膚組織１１６は対応する真空チャンバ１０４の中及び外に動かされる。皮膚組織１１６の真空チャンバ１０４内への吸引が、隣接する皮膚組織を当該チャンバ内に引き込むことで皮膚の隆起部を作り出す（図３及び４に示される）。隣接チャンバ１０４内の吸引を同時に解放することで、当該チャンバ内の隆起部への張力が解放される。これにより皮膚組織１１６は、緩和し、当該チャンバを出て、同時に吸引が適用されている当該隣接チャンバ１０４内に引き込まれる。これは、隣接チャンバ１０４間での、皮膚組織１１６の表面に平行な、壁１０８のシーリング端１１４に対する皮膚組織１１６の付加的かつ同時の前後動を作り出す。この平行動は、下皮（図示せず）におけるコラーゲン線維中隔に垂直なマッサージ効果を作り出す。その結果、中隔の分解が生じる。これは以下で詳細に説明する。
【００３２】
本方法及び装置の一実施例によれば、加熱エネルギーが、真空及びマッサージの適用と同時に皮膚組織１１６に結合される。かかる加熱エネルギーは、光、ＲＦ、超音波、電気脂肪泳動、イオン泳動、及びマイクロ波からなる群から選択された一以上の加熱エネルギー形態である。異なる形態のエネルギーが各チャンバに同時適用されてよい。
【００３３】
本方法及び装置の一実施例によれば、ＲＦエネルギーが用いられる。これによりエネルギーが皮膚組織内に送達され、真空チャンバの内側の及びこれに隣接する皮膚及び下皮組織が加熱されるのと同時にマッサージされる。これにより相乗効果が生じ、真皮コラーゲン線維中隔の分解が促進される。
【００３４】
真空チャンバ１０４におけるＲＦ電極によるＲＦエネルギー放射のシーケンス及び継続時間は、スイッチ１３８に接続された（接続は図示せず）機械コントローラ（図示せず）によって、選択されたタイプの真空チャンバ１０４における空気圧の適用シーケンス及び継続時間と同期される。
【００３５】
通例、ＲＦ周波数は５０ｋＨｚから２００ＭＨｚの範囲である。典型的には、ＲＦ周波数は１００ｋＨｚから１０ＭＨｚ又は１００ｋＨｚから１００ＭＨｚ若しくは代替的に３００ｋＨｚから３ＭＨｚである。
【００３６】
通例、ＲＦパワーは０．５Ｗから３００Ｗの範囲にある。典型的には、ＲＦパワーの範囲は１Ｗから２００Ｗ又は１０Ｗから１００Ｗである。
【００３７】
通例、超音波エネルギー周波数の範囲は、１００ｋＨｚから１０ＭＨｚである。典型的には、超音波エネルギー周波数の範囲は５００ｋＨｚから５ＭＨｚである。典型的には、パワー密度の範囲は０．１Ｗ／ｃｍ２から５Ｗ／ｃｍ２までである。
【００３８】
ここで図２Ａ、２Ｂ、２Ｃ、及び２Ｄを参照する。図１の装置のエネルギー送達表面の様々な代替構成が簡略的に示される。
【００３９】
図２Ａの実施例では、加熱エネルギー送達表面２０２が、隣接真空チャンバの壁２０６の内面に配置される。エネルギー送達表面２１４が間の共通壁２０８の両面に配置される。
【００４０】
図２Ｂの実施例では、加熱エネルギー送達表面２０２が真空チャンバ壁２０６の内面を超えて延びる。真空チャンバ壁２０６のシーリング端２１４は外方に広がる。これにより、拡大された加熱エネルギー送達表面が与えられて加熱エネルギーが、真空チャンバ２０４内の組織のみならず、当該真空チャンバ内に同様に引き込まれつつある隣接皮膚組織２１６にも適用される。
【００４１】
図２Ｃの実施例では、加熱エネルギー送達表面２０２が、電気絶縁性材料から作られた壁２０６の内面に配置される。壁２０８は伝導材料から作られる。図２Ｃに斜線で埋めて示すように、全体でＲＦ電極として機能する。
【００４２】
図２Ｄの実施例では、壁２０６及び２０８が電気伝導性である。この場合、壁２０６及び２０８は全体としてＲＦ電極として機能する。壁２０６及び２０８を板張りする壁（図示せず）は電気絶縁性材料から作られる。代替的には、壁２０６及び２０８のセグメントが電気伝導性である一方で他は電気絶縁性である。
【００４３】
上記構成の任意の一つでは、壁２０８又はそのエネルギー送達表面２０２は、ＲＦエネルギー源の極２３０に導体２３２を介して電気的に接続される。ＲＦエネルギー源の極２３４は、一以上の壁２０６又はそのエネルギー送達表面２０２に導体２３６を介して電気的に接続される。ＲＦエネルギー源から壁２０６及び２０８又はエネルギー送達表面２０２へのＲＦエネルギー送達は、スイッチ２３８によって制御される。
【００４４】
なお、装置１００は、上記構成の任意の一つ又は組み合わせを用いてよい。
【００４５】
図３Ａ、３Ｂ、３Ｃ、及び３Ｄを参照する。本方法及び装置の一実施例に係る、皮膚組織３１６、及び皮膚３１６の表面にほぼ平行なコラーゲン線維中隔を含む下皮３２０をマッサージする場合の図１のアプリケータ１００の動作段階を示す。
【００４６】
図３Ａでは、矢印３４０で示すように大気圧より低い圧力が真空チャンバ３０４に適用される。皮膚組織３１６及び下皮３２０がチャンバ３０４内に引き込まれて皮膚隆起部３１８が作られる。皮膚組織３１６及び下皮３２０の真空チャンバ３０４内への吸引は隣接皮膚組織を引き込む。これにより当該隣接皮膚組織は、参照番号３５０が割り当てられた矢印で示すように、皮膚組織３１６の表面に平行に、真空チャンバ３４０に向かってかつこれの中に集められる。この動きが皮膚組織３１６及び下皮３２０を、壁３０６及び３０８のシーリング端３１４に対して圧迫する。皮膚組織３１６がマッサージされて下皮３２０におけるコラーゲン線維中隔が分解される。当該コラーゲン線維中隔は、皮膚組織３１６が動く方向に対して垂直に配向されている。
【００４７】
図３Ｂでは、隆起部３１８が真空チャンバ３０４を埋める。矢印３４２で示すように、チャンバ３０４内の大気圧より低い圧力により吸引が維持されて隆起部３１８は所定位置に保持される。
【００４８】
図３Ｃでは、チャンバ３０４がベントされる。当該チャンバ内側の圧力が周囲大気圧まで増大されて、隆起部３１８をチャンバ３０４内側の所定位置に保持する吸引が解放される。同時に、矢印３７０で示すように、大気圧より低い圧力が真空チャンバ３２４に適用される。皮膚組織３１６はチャンバ３２４内に吸引されて隆起部３２８が作られる。隣接チャンバ３０４内の吸引を同時に解放することで、当該チャンバ内の隆起部への張力が解放される。これにより皮膚組織３１６は、緩和し、当該チャンバを出て、参照番号３５２が割り当てられた矢印で示すように皮膚３１６の表面に平行に移動し、吸引が同時適用されている隣接チャンバ３２４内に引き込まれる。これは、隣接チャンバ３０４と３２４との間での、皮膚組織３１６の表面に平行な、壁３０８のシーリング端３１４に対する皮膚組織３１６の付加的かつ同時の前後動を作り出す。この動きは、コラーゲン線維中隔の配向に対して垂直であり、皮膚組織３１６及び下皮３２０を壁３０８のシーリング端３１４に対して強く圧迫する。これにより、当該組織はさらにマッサージされ、下皮３２０におけるコラーゲン線維中隔に強められた剪断力が適用され、参照番号３２２で示すように当該中隔が分解する。代替的には、矢印３６０で示すように正の空気圧がチャンバ３０４内にポンプで与えられる。隆起部３１８が真空チャンバ３０４の外に押しやられ、皮膚組織３１６が壁３０８のシーリング端３１４に対して強く圧迫され、さらに下皮３２０におけるコラーゲン線維中隔への剪断力が強められる。
【００４９】
図３Ｄでは、隆起部３２８が真空チャンバ３２４を埋め、矢印３８０で示すように大気圧より低い圧力がチャンバ３２４内で維持され、隆起部３２８は所定位置に保持され、皮膚組織の動きはすべて止まる。
【００５０】
なお、このサイクルは、所定のトリートメントプログラムプロトコルに従って、同時エネルギートリートメントの適用ありで又はなしで反復又は反転される。これは、共通壁３０８のシーリング端３１４に対する皮膚組織３１６の、表面皮膚組織３１６に平行な強められた前後非対称マッサージ動を有効とし、さらに、下皮におけるコラーゲン線維中隔を分解する。
【００５１】
ここで図４Ａ、４Ｂ、４Ｃ、４Ｄ、及び４Ｆを参照する。本方法及び装置の一実施例に係る、非対称な皮膚の動き及び図１のアプリケータ１００の皮膚４１６の表面に沿った変位を有効とする、隣接真空チャンバへの空気圧の適用シーケンスが示される。
【００５２】
図４Ａでは、矢印４４０で示すように真空チャンバ４０４に大気圧より低い圧力が適用される。皮膚組織４１６がチャンバ４０４内に吸引されて隆起部４１８が作られる。皮膚組織４１６の真空チャンバ４０４内への吸引は、隣接皮膚組織を引き込む。当該隣接皮膚組織は、参照番号４５０が割り当てられた矢印によって示すように、皮膚組織４１６の表面に平行に真空チャンバ４０４に向かって対称的に集まる。この段階では、アプリケータ１００の方向性変位は存在しない。
【００５３】
図４Ｂでは、皮膚組織隆起部４１８が真空チャンバ４０４を埋めて、チャンバ４０４内の吸引が維持される。
【００５４】
図４Ｃでは、矢印４４０で示すように大気圧より低い圧力がチャンバ４０４内に連続維持されて、隆起部４１８は所定位置に保持される。同時に、矢印４７０で示すように、大気圧より低い圧力が真空チャンバ４２４に適用される。皮膚組織４１６はチャンバ４２４内に吸引されて隆起部４２８が作られる。皮膚組織４１６の真空チャンバ４２４内への動きは、隣接皮膚組織を非対称に引き込む。当該隣接皮膚組織は、参照番号４５２がここで割り当てられた矢印によって示すように、皮膚組織４１６の表面に平行に真空チャンバ４２４に向かって移動する。皮膚組織４１６の非対称な動きはまた、矢印４５２で示す方向に対向する方向に、皮膚隆起部４１８をチャンバ４０４に強く付着させて引っ張る。参照番号４９０が割り当てられた矢印で示す方向の、アプリケータ１００の方向性変位が有効となる。
【００５５】
図４Ｄでは、大気圧より低い圧力がチャンバ４０４及び４２４の双方において維持され、隆起部４１８及び４２８がそれぞれ所定位置に保持される。この段階では、アプリケータ１００の変位は存在しない。
【００５６】
図４Ｅでは、大気圧より低い圧力がチャンバ４２４において維持され、皮膚隆起部４２８が所定位置に保持される。同時に、チャンバ４０４がベントされ、当該チャンバ内側の圧力がまわりの周囲空気圧力まで増大され、隆起部４１８をチャンバ４０４内側の所定位置に保持する真空が解放される。代替的には、矢印４６０で示すように正の空気圧がチャンバ４０４内にポンプで与えられる。皮膚隆起部４１８が真空チャンバ４０４の外に押しやられる。これは、チャンバ４０４と４２４との間の皮膚組織への引っ張り張力を解放する。緩和した皮膚組織は、矢印４５４で示す方向に非対称的に伸びる。さらに、矢印４５４で示す方向に対向する方向（ここでは矢印４９２で示す）の、アプリケータ１００の方向性変位が有効となる。
【００５７】
図４Ｆでは、チャンバ４２４がベントされ、当該チャンバ内側の圧力がまわりの周囲空気圧力まで増大され、隆起部４２８をチャンバ４２４内側の所定位置に保持する吸引が解放される。代替的には、矢印４８０で示すように正の空気圧がチャンバ４２４内にポンプで与えられる。皮膚組織隆起部４２８が真空チャンバ４０４の外に押しやられる。矢印４５６で示す方向の皮膚組織４１６の対称動が有効となる。この段階では、アプリケータ１００の変位は存在しない。
【００５８】
なお、このサイクルは、所定のトリートメントプログラムプロトコルに従って、同時エネルギートリートメントの適用ありで又はなしで反復又は反転される。これは、皮膚組織４１６の、その表面に平行な前後マッサージを有効とし、さらに、下皮４２０におけるコラーゲン線維中隔を分解する。当該コラーゲン線維中隔は、皮膚組織４１６が動く方向に対して垂直に配向されている。付加的かつ代替的には、このサイクルは、所定のトリートメントプログラムプロトコルに従って、同時エネルギートリートメントの適用ありで又はなしで反復又は反転される。これは、隣接チャンバ内側の吸引の適用を非対称に交替させ、皮膚組織４１６の表面に沿ったアプリケータ１００の動きを有効とする。
【００５９】
ここで図５を参照する。３真空チャンバ配列に配列された図１のアプリケータ１００のが簡略的に示される。なお、アプリケータ１００は、列、格子状配列で配列された又は他の任意の適切な幾何学パターンで配列された２つ以上のチャンバを含む複数の多チャンバ配列に配列されてよい。
【００６０】
ここで図６を参照する。一実施例に係る図１のアプリケータが簡略的に示される。これは、本方法及び装置の一実施例に係る、２つの隣接真空チャンバ６０４と６２４と共通壁６０８のシーリング端６１４におけるローラ６０２をさらに含む。ローラ６０２は、壁６０８のシーリング端６１４における摩擦を低減し、矢印６５０で示すように皮膚組織６１６の表面上でのアプリケータ１００の前後変位を容易にする。なお、ローラ６０２は、６０６のような任意の壁のシーリング端におかれてよく、皮膚組織６１６のマッサージ及びアプリケータ１００の変位を容易にするボール、円筒、スライダ等のような任意の要素に置換してよい。付加的かつ代替的には、ローラ６０２は、圧迫される皮膚組織６１６のマッサージを強める形状にしてよい。
【００６１】
図７を参照する。一実施例に係る図１のアプリケータが簡略的に示される。これは、隣接真空チャンバ７０４と７２４との間の共通壁７０８に可撓に取り付けられた又は部分的に埋め込まれた可撓性デバイダ７０２をさらに含む。可撓性デバイダ７０２は、矢印７５０で示すようなデバイダ７０２の回動可能な前後動を可能にする任意の適切な可撓性材料から作られる。代替的には、可撓性デバイダ７０２は、可撓性又は剛性いずれかの適切な材料から作られ、壁７０８のシーリング端に回動可能に取り付けられる。
【００６２】
なお、本方法及び装置の複数の実施例はまた、例えば、皮下脂肪細胞分解、皮下脂肪量低減、弛んだ皮膚の引き締め、身体表面の引き締め及び固定、皮膚のしわ低減、及びコラーゲンリモデリングのような他のエステティック皮膚組織トリートメントに用いてよい。
【００６３】
また、当業者であれば、本方法及び装置が具体的に上に示されかつ述べられたものに限られるものではないことがわかる。むしろ、本方法及び装置の範囲は、上述の様々な特徴のコンビネーション及びサブコンビネーション双方を、並びに、従来技術に上記記載を読んで当業者が想到するが従来技術ではない修正例及び変形例を含む。
【図１】
2013502264.tif 000003
【図２Ａ】
2013502264.tif 000004
【図２Ｂ】
2013502264.tif 000005
【図２Ｃ】
2013502264.tif 000006
【図２Ｄ】
2013502264.tif 000007
【図３Ａ】
2013502264.tif 000008
【図３Ｂ】
2013502264.tif 000009
【図３Ｃ】
2013502264.tif 000010
【図３Ｄ】
2013502264.tif 000011
【図４Ａ】
2013502264.tif 000012
【図４Ｂ】
2013502264.tif 000013
【図４Ｃ．４Ｅ】
2013502264.tif 000014
【図４Ｄ】
2013502264.tif 000015
【図４Ｆ】
2013502264.tif 000016
【図５】
2013502264.tif 000017
【図６】
2013502264.tif 000018
【図７】
2013502264.tif 000019
【手続補正書】
【提出日】平成24年2月21日(2012.2.21)
【手続補正１】
【補正対象書類名】特許請求の範囲
【補正対象項目名】全文
【補正方法】変更
【補正の内容】
【特許請求の範囲】
【請求項１】
皮膚及び下皮のトリートメントの装置であって、
トリートメントを受ける皮膚セグメントに適用されるべく構成されたアプリケータであって、間に共通壁を共有する２つの隣接真空チャンバを収容するハウジングを含み、前記チャンバは、シーリング端を終端とする壁の内表面によって画定されるアプリケータと、
前記真空チャンバと連通し、かつ、前記アプリケータに隣接する皮膚セグメントを前記真空チャンバの中に引き込んで皮膚隆起部を形成する動作が可能な大気圧より低い圧力の源と、
前記チャンバに交替圧力を適用するべく、かつ、前記皮膚の表面に平行な皮膚の前後マッサージ動を有効にするべく、前記大気圧より低い圧力の源を制御する動作が可能なコントローラと
を含み、
前記２つの隣接真空チャンバの各々において大気圧より低い圧力を交替適用することが、前記隣接真空チャンバ間において、前記皮膚の表面に平行の、前記共通壁のシーリング端に対する皮膚の同時の前後動を生成する装置。
【請求項２】
前記皮膚の表面に対する平行動は、前記下皮のコラーゲン線維中隔に垂直な、前記中隔の分解をもたらす皮膚マッサージ効果を生成する、請求項１に記載の装置。
【請求項３】
前記皮膚への大気圧より低い圧力及びマッサージの適用と同時に前記皮膚に加熱エネルギーを結合する動作が可能な加熱エネルギー源をさらに含み、
前記加熱エネルギーは、光、ＲＦ、超音波、電気脂肪泳動、イオン泳動、及びマイクロ波からなる群から選択される、請求項１に記載の装置。
【請求項４】
前記チャンバの内側を周囲の大気圧にベントする動作が可能なバルブをさらに含み、
前記大気圧は前記真空チャンバの中に引き込まれる隣接皮膚の張力を解放する、請求項１に記載の装置。
【請求項５】
前記真空チャンバの中に引き込まれる皮膚にＲＦエネルギーを適用する動作が可能なＲＦエネルギー源及び少なくとも一つの電極をさらに含み、
前記コントローラは、ＲＦエネルギーの適用シーケンス及び継続時間を、前記真空チャンバ内の前記大気圧より低い圧力の適用シーケンス及び持続時間と同期させる、請求項１に記載の装置。
【請求項６】
皮膚及び下皮のトリートメントの装置であって、
トリートメントを受ける皮膚セグメントに適用されるべく構成されたアプリケータであって、間に共通壁を共有する少なくとも２つの隣接真空チャンバを収容するハウジングを含み、前記真空チャンバは、皮膚隆起部を受け入れる動作が可能であるアプリケータと、
前記真空チャンバと連通し、かつ、前記アプリケータに隣接する皮膚セグメントを前記真空チャンバの中に引き込んで前記皮膚隆起部を形成する動作が可能な大気圧より低い圧力の源と、
前記真空チャンバに交替圧力を適用するべく、かつ、前記皮膚の表面に平行な皮膚の前後マッサージ動を有効にするべく、前記大気圧より低い圧力の源を制御する動作が可能なコントローラと
を含み、
前記真空チャンバの一つに大気圧より低い圧力が適用されて前記真空チャンバの前記一つの中に隣接皮膚が引き込まれて前記隣接皮膚が前記真空チャンバの前記一つを埋め、
前記アプリケータの方向性変位を有効にするように前記隣接真空チャンバの中に隣接皮膚を非対称に引き込むべく、前記真空チャンバの前記一つの中の圧力が維持され、かつ、大気圧より低い圧力が前記隣接真空チャンバに同時適用され、
前記真空チャンバの前記一つがベントされて、前記真空チャンバの前記一つの緩和した皮膚が非対称的に伸び、さらに、前記緩和した皮膚の非対称的な伸びと対向する方向の前記アプリケータの方向性変位が有効になる装置。
【請求項７】
光、ＲＦ、超音波、電気脂肪泳動、イオン泳動、及びマイクロ波からなる群の少なくとも一つの形態で加熱エネルギーを生成する動作が可能な加熱エネルギー源をさらに含む、請求項６に記載の装置。
【請求項８】
前記チャンバは、前記加熱エネルギー源に電気的に接続された加熱エネルギー送達表面をさらに含む、請求項７に記載の装置。
【請求項９】
前記コントローラはまた、所定のトリートメントプロトコルに従って、少なくとも一つの真空チャンバにおける前記加熱エネルギー送達表面に前記生成されたエネルギーの送達を制御する動作が可能である、請求項８に記載の装置。
【請求項１０】
前記加熱エネルギー源は、皮膚の前記前後マッサージ動と同時に前記加熱エネルギー送達表面に前記加熱エネルギーを生成する動作が可能である、請求項８に記載の装置。
【請求項１１】
前記加熱エネルギー送達表面の少なくとも一つは前記真空チャンバの少なくとも一つの内側に配置され、前記加熱エネルギー送達表面の少なくとも他の一つは前記真空チャンバの前記少なくとも一つの外側に配置される、請求項８に記載の装置。
【請求項１２】
前記コントローラは、前記チャンバの任意の一つにおいて個別に異なる形態の加熱エネルギーの送達を制御する動作が可能である、請求項６に記載の装置。
【請求項１３】
前記コントローラはまた前記皮膚の表面に沿って前記ハウジングを変位させるべく、前記皮膚の表面に平行な皮膚組織の交替非対称マッサージ動を有効にするように前記大気圧より低い圧力の源を制御する動作が可能である、請求項１２に記載の装置。
【請求項１４】
前記コントローラは、前記真空チャンバの各々個別において、前記大気圧より低い圧力及びその適用シーケンスを制御する動作が可能である、請求項１３に記載の装置。
【国際調査報告】
2013502264.tif 000020